(57)【要約】【課題】画面の大形化、平坦化、高精細化、広偏向角化等によって偏向周波数が高く設定されるようになってきているが、特に垂直偏向周波数を高く設定することにより、垂直偏向コイルからの漏洩磁界が強くなって、コマフリーコイルのコア脚部が垂直周期毎に吸引されてコイルセパレータの鍔部外側面を叩き異音を発生させたり、コマフリーコイルの磁歪振動が鍔部に伝達されて異音を発生していたが、この異音の発生を抑制した偏向ヨーク及びこの偏向ヨークを装着した偏向ヨーク付陰極線管を提供する。【解決手段】コイルセパレータ２１の径小側鍔部２４外側面から固定片３８を突設し、この固定片３８にコマフリーコイル２９を固定することによって、コマフリーコイル２９全体を鍔部２４外側面から離間して配置する。【選択図】　図１
2004111070.tif 000002
【特許請求の範囲】
【請求項１】
陰極線管のネックからファンネル外周にかけての偏向ヨーク装着部に配置され、水平及び垂直偏向コイルを有し、電子ビームを偏向して陰極線管の蛍光体スクリーン上に画像を表示するための偏向ヨークであって、
ネック部側からファンネル側に向かって拡大するように円もしくは角錐台状に形成されたコイルセパレータと、
このコイルセパレータの内側面に配置された一対のサドル形の水平偏向コイルと、
前記コイルセパレータの外側面に配置される円もしくは角錐台状のコアと、
このコアに巻回されたトロイダル形もしくはコアの内側に配置されたサドル形の一対の垂直偏向コイルと、
前記コイルセパレータの径小側側面に対向して配置された一対のコマフリーコイルとを具備し、
前記コマフリーコイルを前記コイルセパレータの径小側側面から離間して配置したことを特徴とする偏向ヨーク。
【請求項２】
前記コマフリーコイルと前記径小側側面間に弾性緩衝材を介在させたことを特徴とする請求項１記載の偏向ヨーク。
【請求項３】
略矩形状のフェースパネルと、
このフェースパネルに連接して形成された漏斗状のファンネルと、
このファンネルの径小部側に連接されたネックと、
このネック内に配置され電子ビームを放出する電子銃と、
この電子銃と対向する前記フェースパネル内面に形成された蛍光体スクリーンと、
前記ファンネル外周部分に装着される偏向ヨークとを具備し、
前記偏向ヨークは、ネック側からファンネル側に向かって拡大するように円もしくは角錐台状に形成されたコイルセパレータと、
このコイルセパレータの内側面に配置された一対のサドル形の水平偏向コイルと、
前記コイルセパレータの外側面に配置される円もしくは角錐台状のコアと、
このコアに巻回もしくは内側に配置された一対の垂直偏向コイルと、
前記コイルセパレータの径小側側面に対向し当該側面から離間して配置された一対のコマフリーコイルとを有することを特徴とする偏向ヨーク付陰極線管。
【請求項４】
前記コマフリーコイルと前記コイルセパレータの径小側側面間に弾性緩衝材を介在させたことを特徴とする請求項３記載の偏向ヨーク付陰極線管。
【発明の詳細な説明】
【０００１】
【発明の属する技術分野】
本発明は、カラーテレビジョン受像機やカラー端末ディスプレイ等に使用される偏向ヨーク、並びにこの偏向ヨークを装着した偏向ヨーク付陰極線管に係り、特にコマフリーコイルにて発生する異音を抑制した偏向ヨーク及び偏向ヨーク付陰極線管に関する。
【０００２】
【従来の技術】
一般に、カラーテレビジョン受像機等に使用されているカラー陰極線管は、図６に示すように、略矩形状の有効部を有するフェースパネル６１と、このフェースパネル６１に連接された漏斗状のファンネル６２と、このファンネル６２の径小部に連接された円筒状のネック６３からなるガラス製の真空外囲器を備えている。このフェースパネル６１の有効部内面には、青、緑、赤に発光するドット状またはストライプ状の３色蛍光体層及び黒色遮光層からなる蛍光体スクリーン６４が形成されている。
【０００３】
更に、この蛍光体スクリーン６４に対向してフェースパネル６１内には、多数の電子ビーム通過孔を有したシャドウマスク６５がマスクフレーム６６を介して配置され、このマスクフレーム６６は弾性支持体６７とスタッドピン６８を介してフェースパネル６１に取着されている。また、マスクフレーム６６には磁気シールド６９が取着されており、このシャドウマスク６５に対向するようにネック６３内には、３電子ビーム７０Ｂ，７０Ｇ，７０Ｒを放出するインライン型の電子銃７１が配設されるとともに、ネック６３外周からファンネル６２の外周面にかけて位置する偏向ヨーク装着部に偏向ヨーク７２が装着されている。
【０００４】
この電子銃７１から放出された３電子ビーム７０Ｂ，７０Ｇ，７０Ｒを偏向ヨーク７２の発生する水平、垂直偏向磁界によって水平、垂直方向に偏向し、シャドウマスク６５を介して蛍光体スクリーン６４を水平、垂直走査することによって、蛍光体スクリーン６４上にカラー画像を表示している。
【０００５】
一方、このようなカラー陰極線管に装着される偏向ヨーク７２は、図７に示すように構成されている。
【０００６】
即ち、合成樹脂によって円錐台状に成形されたコイルセパレータ本体７３と、このセパレータ本体７３のフェースパネル６１側の径大部分に形成された径大側鍔部７４と、ネック６３側の径小部分に形成された径小側鍔部７５を備え、この径小側鍔部７５に連接する締付部７６から構成されたコイルセパレータ７７を備えている。
【０００７】
このコイルセパレータ７７の内面には、サドル形に形成された一対の水平偏向コイル７８が装着され、コイルセパレータ本体７３外周面には一対のサドル形の垂直偏向コイル７９が装着され、更に、この垂直偏向コイル７９の外側に円錐台状のコア８０が配置される。この垂直偏向コイル７９は、２分割されたフェライトからなる一対のコア８０に巻回されたトロイダル形として構成されている場合もある。そして、上記締付部７６を締付バンド（図示せず）によって締付けることで、偏向ヨーク７２を陰極線管の外周面に固定するように構成されている。
【０００８】
このようなカラー陰極線管においては、電子銃７１として同一平面上を通る一列配置の３電子ビーム７０Ｂ，７０Ｇ，７０Ｒを放出するインライン型として構成され、また偏向ヨーク７２では、ピンクッション形の水平偏向磁界及びバレル形の垂直偏向磁界を発生させることで、電子銃７１から放出された一列配置の３電子ビーム７０Ｂ，７０Ｇ，７０Ｒを、これら水平、垂直偏向磁界によって偏向することにより、電気的な補正回路を要することなく、画面全体にわたり一列配置の３電子ビーム７０Ｂ，７０Ｇ，７０Ｒを集中することができるセルフコンバーゼンス・インライン型カラー陰極線管として広く実用化されている。
【０００９】
しかしながら、このセルフコンバーゼンス・インライン型カラー陰極線管では、非斉一偏向磁界によって電子ビーム７０Ｂ，７０Ｇ，７０Ｒに歪みが生じ、特に画面周辺部のビームスポット横潰れによる解像度劣化やモアレ発生の原因となっている。
【００１０】
更に、これとは別に蛍光体スクリーン６４周辺では、蛍光体スクリーン６４に対する電子ビーム７０Ｂ，７０Ｇ，７０Ｒの入射角が大きくなるので、ビームスポットが放射方向に延びる形状に歪むこともある。この歪みの作用も画面の平坦化または広角度偏向化によって更に増長される結果となっているが、蛍光体スクリーン６４の垂直端では、バレル形の垂直偏向磁界が及ぼすビームスポットへの影響と、蛍光体スクリーン６４に入射する電子ビーム７０Ｂ，７０Ｇ，７０Ｒの入射角度による影響が互いに相反する方向であるために、ビームスポットの歪みは緩和される。
【００１１】
これに対して、蛍光体スクリーン６４の水平端では、ピンクッション形の水平偏向磁界と蛍光体スクリーン６４に入射する電子ビーム７０Ｂ，７０Ｇ，７０Ｒの入射角度の影響が、互いに強め合う方向であるために、ビームスポット歪みは増長される結果となる。
【００１２】
このために、水平偏向磁界の磁界分布であるピンクッション形を斉一（バレル）方向に修正し、これに伴って蛍光体スクリーン６４左右端で生じるオーバーコンバーゼンスをコイルセパレータ７７の径小側鍔部７５の上下端に配置した一対のコマフリーコイル８１にて補正している。
【００１３】
即ち、コイルセパレータ７７のネック６３側に４極磁界を発生する一対のコマフリーコイル８１を対向させて配置し、このコマフリーコイル８１に夫々水平偏向周期のパラボラ電流を通電し、蛍光体スクリーン６４左右端でアンダーコンバーゼンス補正を行うようになされている。
【００１４】
このコマフリーコイル８１は、図８及び図９に示すように、両側脚部８２とこの脚部８２を連結する連結部８３とでコ字状のコア８４を形成し、この連結部８３と脚部８２の一部を覆うように合成樹脂からなる被覆部材８５がモールド成形されている。この被覆部材８５の連結部８４両側に鍔部８６が形成され、この鍔部８６間の連結部８３外周を巻枠として巻線８７が巻回され、各コア８４の開放端を互いに対向するように、ネック６３の外周に配置されるように構成されている。このコマフリーコイル８１は、コイルセパレータ７７の径小側鍔部７５に形成した鉤状の舌片８８によって鍔部７５との間で挟持され、また、脚部８２を支持するために鍔部７５側面から脚部８２方向に突出する突部８９も設けられている。
【００１５】
なお、必要に応じてコイルセパレータ７７の径大側鍔部７４には、ピンクッション歪を補正するためのＮＳマグネット９０を、夫々管軸を挟んで対向する位置に取着されている。
【００１６】
このようにコマフリーコイル８１を配置することによって、ビームスポットの水平方向の潰れが改善され、解像度等を向上させることができる。
【００１７】
【発明が解決しようとする課題】
このようなカラー陰極線管においては、大画面化、平坦化され陰極線管の管軸方向の長さを短くするために広偏向角化も採り入れられている。更に、高解像度及び視認性の高度化が要求される高品位テレビジョン（ＨＤＴＶ）やパーソナルコンピュータ等のＯＡ機器に対応するために、必然的に偏向周波数を上げざるを得ず、このために高い偏向周波数を使用する設計がなされている。特に画面を静止画として見た場合のフリッカーを軽減する目的で、垂直偏向周波数も高く設定している。
【００１８】
しかしながら、フリッカーを軽減するために垂直偏向周波数を高くすると、コイルスペーサ７７の径小側鍔部７５を介して互いに対向配置されている垂直偏向コイル７９とコマフリーコイル８１とが影響し合うことになる。このコマフリーコイル８１は垂直偏向コイル７９の径小側ベンド部からの漏洩磁束に影響され、垂直偏向コイル７９にて発生される磁界がコマフリーコイル８１の脚部８２と鎖交すると、垂直偏向周波数の周期毎に、図１０に示すように、この脚部８２が垂直偏向コイル７９側に図中矢印で示す力Ｆによって引寄せられるようになる。このため図中実線で示す状態から破線で示す状態に周期的に振動させられて、この振動する脚部８２が鍔部７５側面を叩くことにより、異音が発生していた。
【００１９】
この垂直偏向周波数による磁界の変化は、可聴領域の５０Ｈｚ〜１５０Ｈｚ付近で変化しており、この異音が騒音となって視聴者に感知されてしまう問題が発生している。特に広角化に伴なって広偏向角化を進めるためには、より多くの偏向電流を必要とし、この偏向電流の増大に伴なって垂直偏向コイル７９から漏洩する漏れ磁界も大きくなるので、より一層コマフリーコイル８１を振動させることとなり、異音がより強調される事態となっていた。更に、このコマフリーコイル８１は磁歪振動が発生するが、実際には、この鍔部７５は蓋体を備えており、鍔部７５全体として箱状を形成しているので、この蓋体に取着されているコマフリーコイル８１の磁歪振動によって共鳴現象が発生し、この結果、より大きな振動音が発生することとなり、この振動音も異音となって視聴者が感知することになる。
【００２０】
このように、特に高い偏向周波数を採用したことによって異音の発生が顕著なものとなり、視聴者にとって耳障りな状態になってきているので、一刻も早い改善が要望されていた。
【００２１】
本発明は、このような課題に対処してなされたものであり、高い偏向周波数を採用した場合においても、コマフリーコイルに起因する異音の発生を確実且つ効率良く抑制することが可能な偏向ヨーク及び偏向ヨーク付陰極線管を提供することを目的とする。
【００２２】
【課題を解決するための手段】
本発明は、陰極線管のネックからファンネル外周にかけての偏向ヨーク装着部に配置され、水平及び垂直偏向コイルを有し、電子ビームを偏向して陰極線管の蛍光体スクリーン上に画像を表示するための偏向ヨークであって、ネック部側からファンネル側に向かって拡大するように円もしくは角錐台状に形成されたコイルセパレータと、このコイルセパレータの内側面に配置された一対のサドル形の水平偏向コイルと、コイルセパレータの外側面に配置される円もしくは角錐台状のコアと、このコアに巻回されたトロイダル形もしくはコアの内側に配置されたサドル形の一対の垂直偏向コイルと、コイルセパレータの径小側側面に対向して配置された一対のコマフリーコイルとを具備し、このコマフリーコイルをコイルセパレータの径小側側面から離間して配置させた偏向ヨークである。
【００２３】
また、略矩形状のフェースパネルと、このフェースパネルに連接して形成された漏斗状のファンネルと、このファンネルの径小部側に連接されたネックと、このネック内に配置され電子ビームを放出する電子銃と、この電子銃と対向するフェースパネル内面に形成された蛍光体スクリーンと、ファンネル外周部分に装着される偏向ヨークとを具備し、偏向ヨークは、ネック側からファンネル側に向かって拡大するように円もしくは角錐台状に形成されたコイルセパレータと、このコイルセパレータの内側面に配置された一対のサドル形の水平偏向コイルと、コイルセパレータの外側面に配置される円もしくは角錐台状のコアと、このコアに巻回もしくは内側に配置された一対の垂直偏向コイルと、コイルセパレータの径小側側面に対向し当該側面から離間して配置された一対のコマフリーコイルから構成された偏向ヨーク付陰極線管である。
【００２４】
このように構成することにより、例え偏向周波数を高く設定したとしても、コマフリーコイルはコイルセパレータの径小側側面からは離間して配置されているために、脚部の振動によるコイルセパレータへの打音やコマフリーコイル全体での磁歪振動に伴なう視聴者に騒音として感知される異音の発生を抑制することが可能となる偏向ヨーク、及びこの偏向ヨークを装着した偏向ヨーク付陰極線管を得ることができる。
【００２５】
【発明の実施の形態】
以下、本発明について図面を参照して詳細に説明する。
【００２６】
まず、本発明に係るカラー陰極線管は、図１に示すように、管軸（Ｚ軸）を通り互いに直交する水平軸（Ｘ軸）と垂直軸（Ｙ軸）を持つ外面を平坦状に形成された略矩形状のフェースパネル１１と、このフェースパネル１１に連接された漏斗状のファンネル１２、及びこのファンネル１２の径小部端に連接された円筒状のネック１３からなる真空外囲器を有している。
【００２７】
このフェースパネル１１の内面には、青、緑、赤に発光するドット状もしくはストライプ状の３色蛍光体層及び黒色の光吸収層を有する蛍光体スクリーン１４が設けられ、更に、この蛍光体スクリーン１４から離間且つ対向して、その対向面に多数の電子ビーム通過孔１５が所定の配列ピッチで形成されたシャドウマスク１６が配置されている。
【００２８】
また、ネック１３内には、同一水平面上を通るセンタービーム１７Ｇ及び一対のサイドビーム１７Ｂ，１７Ｒからなる一列配置の３電子ビーム１７Ｂ，１７Ｇ，１７Ｒを放出する電子銃１８が配置され、そして、このネック１２のファンネル１２側からファンネル１２の径小部にかけて角錐状の偏向ヨーク装着部１９が設けられて、カラー陰極線管が構成されている。
【００２９】
この偏向ヨーク装着部１９は、蛍光体スクリーン１４上に矩形状のラスターを描く場合には、後述する偏向ヨークの装着される偏向ヨーク装着部１９内側における電子ビーム１７Ｂ，１７Ｇ，１７Ｒの通過領域も相似形の略矩形状を呈するので、偏向ヨーク装着部１９の形状を、ネック１３側からフェースパネル１１方向に向かって、円形から次第に略矩形状に変化するような角錐台形状に構成している。
【００３０】
このように、偏向ヨーク装着部１９を略角錐台形状とすることによって、偏向ヨークのＸ軸及びＹ軸方向の径を小さくすることが可能となり、そのために偏向ヨークを構成する水平偏向コイルを、電子ビーム１７Ｂ，１７Ｇ，１７Ｒに近づけて配置することが可能となり、電子ビーム１７Ｂ，１７Ｇ，１７Ｒを効率良く偏向して、偏向電力の低減を図ることが可能となる。
【００３１】
一方、このように構成された偏向ヨーク装着部１９に装着される偏向ヨークは、図２にも示すように、電子ビーム１７Ｂ，１７Ｇ，１７ＲをＸ軸方向に偏向するための磁界を発生する一対のサドル形の水平偏向コイル２０を有し、この一対の水平偏向コイル２０は、略角錐台形状を呈するように組合せて構成されている。この水平偏向コイル２０は、合成樹脂等によって偏向ヨーク装着部１９に対応した略角錐台状に成形されたコイルセパレータ２１の内周面に沿って取付けられている。
【００３２】
このコイルセパレータ２１は、セパレータ本体２２と、セパレータ本体２２の一端側のフェースパネル１１側に配置される径大側の鍔部２３と、その反対側のネック１３側に配置される径小側の鍔部２４、及びこの鍔部２４からネック１３方向に突出するように形成された筒状の締付部２５から構成されている。この締付部２５にはスリット（図示せず）を設けて、締付バンド（図示せず）等で締付けることによって、ネック１３外周に固定されるように構成されている。
【００３３】
従って、上記水平偏向コイル２０は、水平偏向コイル２０の両端に形成したベンド部が夫々の鍔部２３，２４内に位置するようにセパレータ本体２２の内側に装着され、接着剤やテープ等の固定手段によって固定されている。
【００３４】
このコイルセパレータ２１のセパレータ本体２２部分の外側には、中心軸を含む平面に沿って２分割されたフェライト等の磁性体からなる一対の円錐台形状のコア２６が装着される。このコア２６には複数の巻線群を形成するようにトロイダル巻きに巻回され、電子ビーム１７Ｂ，１７Ｇ，１７ＲをＹ軸方向に偏向するための磁界を発生する一対の垂直偏向コイル２７を備えており、このコア２６は垂直偏向コイル２７の巻回後に、弾性金属片からなる係止片２８によって、コイルセパレータ２１のセパレータ本体２２外周に固定装着されている。
【００３５】
また、この垂直偏向コイル２７とコア２６とは、左右一対のサドル形の垂直偏向コイル２７と、これら水平及び垂直偏向コイル２０，２７の外側に配置された角錐状の磁性体コア２６で構成することも可能である。
【００３６】
このように、略角錐台状に形成された偏向ヨーク装着部１９に合致するように偏向ヨークを構成すると、カラー陰極線管の最も偏向角が大きい対角方向の径はそのままに、偏向ヨークの水平軸（Ｘ軸）及び垂直軸（Ｙ軸）方向の径を小さくすることが可能となる。このため偏向ヨークの水平、垂直偏向コイル２０，２７を電子ビーム１７Ｂ，１７Ｇ，１７Ｒ側に更に近づけて効率良く偏向することができるので、偏向電力を低減することが可能となる。
【００３７】
このための偏向ヨークとしては、水平、垂直偏向コイル２０，２７が両者ともにサドル形からなるサドル−サドル形形態の偏向ヨーク、あるいは水平偏向コイル２０がサドル形で垂直偏向コイル２７がトロイダル形からなるセミトロイダル形偏向ヨークを使用することが好適である。
【００３８】
更に、上記コイルセパレータ２１のネック１３側の径小側鍔部２４外側面には、上下一対のコマフリーコイル２９が、この鍔部２４からコマフリーコイル２９全体が離間して配設され、また、必要に応じてコイルセパレータ２１の蛍光体スクリーン１４側の径大側鍔部２３の外側面に、上下一対のＮＳマグネット（図示せず）を配置したり、あるいはコイルセパレータ２１の径小側に設けた締付部２５にスタティックコンバーゼンスマグネット（図示せず）等を配置することも可能である。
【００３９】
このように、コイルセパレータ２１のネック１３側の径小側鍔部２４外側面に４極磁界を発生する一対のコマフリーコイル２９を対向させて配置し、このコマフリーコイル２９に夫々水平偏向周期のパラボラ電流を通電することにより、蛍光体スクリーン１４左右端でアンダーコンバーゼンス補正を行うようになされている。
【００４０】
このコマフリーコイル２９は、図３及び図４に示すように、両側脚部３０と、この脚部３０を連結する連結部３１とでコ字状のコア３２を形成し、この連結部３１と脚部３０の一部を覆うように合成樹脂からなる被覆部材３３がモールド成形されている。この被覆部材３３の連結部３１両側に鍔部３４が形成され、この鍔部３４間の連結部３１外周を巻枠として、水平偏向周期のパラボラ電流が供給される巻線３５が巻回されている。更に、この被覆部材３３の脚部３０側の端部を脚部３０開放端側とは反対方向に延長し、その先端に鉤部３６を形成した舌片３７が形成されている。
【００４１】
このように構成されたコマフリーコイル２９は、コイルセパレータ２１の径小側鍔部２４の外側面から略直角にネック１３と平行に突出形成された固定片３８に穿設された透孔３９に鉤部３６を挿通させて、鍔部２４とコマフリーコイル２９全体を離間させた状態で固定し、且つ、各コア３２の開放端が互いに対向するように、ネック１３の外周に配置されるように構成されている。
【００４２】
このように、コマフリーコイル２９全体がコイルセパレータ２１の径小側鍔部２４の外側面と接触しないように十分な間隔をおいて配置することで、例え垂直偏向コイル２７に大きな垂直偏向電流が流れて発生する強い垂直偏向磁界がコア３２の脚部３０と鎖交し、周期的に吸引する大きな力が作用したとしても、コマフリーコイル２９全体を鍔部２４から離間させて配置しているので、脚部３０が鍔部２４外側面を叩くことがなく、このため異音が発生することを防止することが可能となる。
【００４３】
また、コマフリーコイル２９の全体が、鍔部２４から外方に突出する固定片３８によって固定保持されているので、コマフリーコイル２９自体が鍔部２４と直接的に接触はしておらず、コマフリーコイル２９の磁歪振動が鍔部２４に伝達し難くなるので、コマフリーコイル２９の伝達振動による共鳴現象も軽減することができ、異音の発生を抑制することが可能となる。
【００４４】
このような異音の抑制効果は、コマフリーコイル２９のコア３２を鍔部２４に固定させたり、脚部３０の先端を突部にて支持させたり、あるいはコマフリーコイル２９の上下端を固定したりした場合と比較しても、最も効果的に異音の発生を抑制することができることが確認された。
【００４５】
また、図５に示すように、鍔部２４とコマフリーコイル２９との間隙部分に、ラバー（ゴム）シート等からなる弾性緩衝材４０を鍔部２４外側面に貼付して、弾性緩衝材４０を両者の間に介在させることによって、脚部３０が鍔部２４外側面に当接することを完全に防止でき、例え脚部３０が弾性緩衝材４０に当接したとしても異音の発生を抑制できるばかりでなく、この弾性緩衝材４０によって磁歪振動による振動分も吸収することが可能となり、異音発生の抑止効果を更に向上させることが可能となる。この弾性緩衝材４０は、コマフリーコイル２９に沿って全面的に貼着させてもよいが、脚部３０との対向面部分に貼着させるように構成することも可能である。
【００４６】
なお、本発明は、上述の実施の形態のみに限定されることなく、例えば偏向ヨーク装着部を丸型に構成したカラー陰極線管にも、コア及び水平、垂直偏向コイルをそれに対応させて丸型にした偏向ヨークと組合わせて使用することも可能であり、また、水平、垂直偏向コイルは、ベンドアップやベンドレス構成とすることも可能であり、更に、コマフリーコイルを鉤部を有する舌片を使用することなく接着等の手段で固定片に固定させたり、透孔を被膜部材側に形成し、これに嵌合する鉤付舌片を固定片側に設けて固定する等、その他にも種々の応用や変形が可能なことは言うまでもない。
【００４７】
【発明の効果】
本発明は、コマフリーコイルをコイルセパレータの鍔部外側面から離間して配置することにより、偏向磁界によるコマフリーコイルの脚部の吸引作用による脚部と鍔部との接触を防止し、またコマフリーコイルの磁歪振動による振動の伝達を抑制することによって、偏向ヨークにて発生する異音を抑制することが可能となり、視聴者にこの異音に起因する不快感を与えることがない、製品性に優れた偏向ヨーク及び偏向ヨーク付陰極線管を提供することができる。
【図面の簡単な説明】
【図１】本発明に係る偏向ヨーク及びこの偏向ヨークを装着する偏向ヨーク付陰極線管を示す一部切欠斜視図。
【図２】同じく偏向ヨークを示す斜視図。
【図３】同じく偏向ヨークを構成するコマフリーコイルの構成を示す斜視図。
【図４】同じくコマフリーコイルの取付け状態を示す一部切欠側面図。
【図５】同じく偏向ヨークの他の構成を示す一部拡大側面図。
【図６】従来の偏向ヨーク付陰極線管を示す断面図。
【図７】従来の偏向ヨークを示す斜視図。
【図８】同じく偏向ヨークを構成するコマフリーコイルの構成を示す斜視図。
【図９】同じくコマフリーコイルの取付け状態を示す一部切欠側面図。
【図１０】同じく偏向ヨークによる異音の発生状態を説明するための説明図。
【符号の説明】
１１：フェースパネル
１２：ファンネル
１３：ネック
１４：蛍光体スクリーン
１６：シャドウマスク
１７Ｇ，１７Ｒ，１７Ｂ：電子ビーム
１８：電子銃
１９：偏向ヨーク装着部
２０：水平偏向コイル
２１：コイルセパレータ
２４：径小側鍔部
２６：コア
２７：垂直偏向コイル
２９：コマフリーコイル
【図１】
2004111070.tif 000003
【図２】
2004111070.tif 000004
【図３】
2004111070.tif 000005
【図４】
2004111070.tif 000006
【図５】
2004111070.tif 000007
【図６】
2004111070.tif 000008
【図７】
2004111070.tif 000009
【図８】
2004111070.tif 000010
【図９】
2004111070.tif 000011
【図１０】
2004111070.tif 000012